(57)【要約】【課題】複数の階を有する構造物を構築する際に上階の被固定体と下階の被固定体とが良好に並ぶように各階にて被固定体を適切に固定する。【解決手段】複数の階を有する建物の各階において外壁パネル２を取り付け金物３に固定して、各階の外壁パネル２が上下方向に並ぶように建物を構築する方法であって、上階の取り付け金物３及び下階の取り付け金物３を上下方向に並べて配置する工程と、所定方向において上階の取り付け金物３及び下階の取り付け金物３の各々を位置決めする工程と、位置決めされた上階の取り付け金物３及び下階の取り付け金物３の各々に外壁パネル２を固定する工程と、を有する。上階の取り付け金物３及び下階の取り付け金物３の各々を位置決めする工程では、上下方向に延出した当接面３１を有する治具３０の当接面３１を、上階の取り付け金物３及び下階の取り付け金物３の双方に同時に当接させる。【選択図】図４Ｃ
2019011618.tif 000002
【特許請求の範囲】
【請求項１】
複数の階を有する構造物の各階において被固定体を該被固定体の厚み方向が所定方向に沿った状態で固定部に固定して、各階の前記被固定体が上下方向に並ぶように前記構造物を構築する構造物構築方法であって、
上階の前記固定部及び下階の前記固定部を上下方向に並べて配置する工程と、
前記所定方向において上階の前記固定部及び下階の前記固定部の各々を位置決めする工程と、
位置決めされた上階の前記固定部及び下階の前記固定部の各々に前記被固定体を固定する工程と、を有し、
上階の前記固定部及び下階の前記固定部の各々を位置決めする工程では、上下方向に延出した当接面を有する治具の前記当接面の法線方向が前記所定方向に沿った状態で、前記当接面を上階の前記固定部及び下階の前記固定部の双方に同時に当接させることを特徴とする構造物構築方法。
【請求項２】
上階の前記固定部及び下階の前記固定部を配置する工程では、前記構造物の角部分に設けられる上階の前記固定部及び下階の前記固定部を配置し、
上階の前記固定部及び下階の前記固定部の各々を位置決めする工程では、前記治具の前記当接面を前記角部分に設けられる上階の前記固定部及び下階の前記固定部の双方に同時に当接させることを特徴とする請求項１に記載の構造物構築方法。
【請求項３】
上下方向及び前記所定方向の両方向と交差する交差方向に複数の前記被固定体を並べて配置する工程を更に有し、
上階の前記固定部及び下階の前記固定部の各々に前記被固定体を固定する工程では、前記交差方向に並んだ複数の前記被固定体を固定し、
前記交差方向において複数の前記被固定体を並べて配置する工程では、前記所定方向において複数の前記被固定体の各々の端位置が揃うように複数の前記被固定体を配置することを特徴とする請求項１又は２に記載の構造物構築方法。
【請求項４】
前記交差方向に複数の前記被固定体を並べて配置する工程は、上階及び下階の各々において実施され、
上階において複数の前記被固定体を前記交差方向に並べて配置する際には、上階の前記被固定体と下階の前記被固定体とが上下方向に並び、且つ前記所定方向において上階の前記被固定体の端位置と下階の前記被固定体の端位置が揃うように上階の前記被固定体を配置することを特徴とする請求項３に記載の構造物構築方法。
【請求項５】
前記交差方向において複数の前記被固定体を並べて配置する工程は、
前記交差方向に延出する組み付け部を、前記交差方向に並んだ複数の前記被固定体のうち、前記交差方向において互いに隣り合う第一被固定体及び第二被固定体の間に跨る位置に配置する工程と、
前記所定方向において平板状の第一当接部を前記組み付け部の端及び前記第一被固定体の端に当接させる工程と、
前記第一当接部が前記組み付け部の端及び前記第一被固定体の端に当接している間に、前記所定方向において平板状の第二当接部を前記組み付け部の端及び前記第二被固定体の端に当接させる工程と、を有することを特徴とする請求項４に記載の構造物構築方法。
【請求項６】
下階において前記交差方向に複数の前記被固定体を並べて配置した後に、上階において前記交差方向に複数の前記被固定体を並べて配置し、
上階において前記交差方向に複数の前記被固定体を並べて配置する際には、前記所定方向において下階の前記第一被固定体の端、及び、下階の前記第一被固定体の直上位置に配置される上階の前記第一被固定体の端に前記第一当接部を当接させると共に、前記所定方向において下階の前記第二被固定体の端、及び、下階の前記第二被固定体の直上位置に配置される上階の前記第二被固定体の端に前記第二当接部を当接させることを特徴とする請求項５に記載の構造物構築方法。
【請求項７】
下階において複数の前記被固定体を前記交差方向に並べて配置する際には、前記交差方向において前記被固定体同士の間に下階隙間が形成されるように複数の前記被固定体を配置し、
上階において複数の前記被固定体を前記交差方向に並べて配置するにあたり、
前記交差方向における長さが調整可能な調整部を、該調整部の下側部分が前記下階隙間内に収容され、且つ、前記調整部の上側部分が前記下階隙間よりも上方に突出するように配置することと、
前記交差方向における前記調整部の長さを、前記交差方向における前記下階隙間の長さと等しくなるように調整することと、を行い、
上階において複数の前記被固定体を前記交差方向に並べて配置する際には、前記交差方向において前記調整部の上側部分と隣接する位置に前記被固定体を配置することで、前記交差方向において前記被固定体同士の間に、上下方向において前記下階隙間と連続する上階隙間が形成されるように複数の前記被固定体を配置することを特徴とする請求項４乃至６のいずれか一項に記載の構造物構築方法。
【請求項８】
前記調整部を配置する際には、前記交差方向に並んだ一対の板片を備える前記調整部を、前記一対の板片の各々の下側部分が前記下階隙間内に収容され、且つ、前記一対の板片の各々の上側部分が前記下階隙間よりも上方に突出するように配置し、
前記調整部の長さを調整する際には、前記一対の板片の間の間隔を調整するために前記一対の板片に取り付けられた操作部を、前記間隔が前記交差方向における前記下階隙間の長さと等しくなるまで操作することを特徴とする請求項７に記載の構造物構築方法。
【請求項９】
複数の階を有する建物の各階において前記被固定体としての外壁パネルを、前記建物の躯体に取り付けられた前記固定部としての取り付け金物に固定して、各階の前記外壁パネルが上下方向に並ぶように前記建物を構築することを特徴とする請求項１乃至８のいずれか一項に記載の構造物構築方法。
【発明の詳細な説明】
【技術分野】
【０００１】
本発明は、構造物構築方法に係り、特に、複数の階を有する構造物の各階において被固定体を固定部に固定して各階の被固定体が上下方向に並ぶように構造物を構築する構造物構築方法に関する。
【背景技術】
【０００２】
複数の階を有する構造物を構築する際に、各階において被固定体を固定部に固定し、各階の被固定体を上下方向に並べて配置することは、既に知られている。例えば、複数階建ての建物を建設する際に、外壁を構成する外壁パネルを階毎に水平方向に沿って複数並べて配置する。各階において列状に並ぶ複数の外壁パネルは、建物の躯体（より具体的には梁や柱）にセットされた取り付け金物に取り付けられることで、建物の躯体に固定される。ここで、取り付け金物は、外壁パネルと同様、各階において水平方向に沿って複数並べられる。
【０００３】
取り付け金物は、外壁パネルが固定される面（固定面）が取り付け金物間で揃うように位置決めされる。具体的には、特許文献１に記載された水糸張り装置などを利用して、複数の取り付け金物の各々の固定面が面一となるように各取り付け金物の位置が調整される。この結果、各階において水平方向に沿って並べられた複数の外壁パネルは、面一状に並んだ各取り付け金物の固定面に固定されることで適切に配置されるようになる。
【先行技術文献】
【特許文献】
【０００４】
【特許文献１】特開２０１０−２４７４１号公報
【発明の概要】
【発明が解決しようとする課題】
【０００５】
しかしながら、特許文献１に記載の水糸張り装置を含め、従来の位置調整方法では、同じ階の取り付け金物の固定面については面一に揃えられるものの、互いに異なる階にある取り付け金物の固定面同士については、揃えることが困難であった。そのため、従来は、上階に配置される外壁パネルと下階に配置される外壁パネルとの間に段差が生じ、この段差の形成によって建物（具体的には外壁）の施工品質を損ねてしまう虞があった。
【０００６】
そこで、本発明は、上記の課題に鑑みてなされたものであり、その目的とするところは、複数の階を有する構造物を構築する際に上階の被固定体と下階の被固定体とが良好に並ぶように各階にて被固定体を適切に固定することが可能な構造物構築方法を提供することである。
【課題を解決するための手段】
【０００７】
前記課題は、本発明の構造物構築方法によれば、複数の階を有する構造物の各階において被固定体を該被固定体の厚み方向が所定方向に沿った状態で固定部に固定して、各階の前記被固定体が上下方向に並ぶように前記構造物を構築する構造物構築方法であって、上階の前記固定部及び下階の前記固定部を上下方向に並べて配置する工程と、前記所定方向において上階の前記固定部及び下階の前記固定部の各々を位置決めする工程と、位置決めされた上階の前記固定部及び下階の前記固定部の各々に前記被固定体を固定する工程と、を有し、上階の前記固定部及び下階の前記固定部の各々を位置決めする工程では、上下方向に延出した当接面を有する治具の前記当接面の法線方向が前記所定方向に沿った状態で、前記当接面を上階の前記固定部及び下階の前記固定部の双方に同時に当接させることにより解決される。
【０００８】
上記のように構成された本発明の構造物構築方法では、構造物の各階にて被固定体を固定部に固定するに際し、上階の固定部及び下階の固定部の各々を所定方向（被固定部の厚み方向が沿う方向）において位置決めする。このとき、上下方向に延出した当接面を有する治具の当該当接面を、上階の固定部及び下階の固定部の双方に当接される。これにより、上階の固定部及び下階の固定部の各々の位置が上記の所定方向において揃うようになる。その上で各階において被固定体を固定部に固定すると、上階の被固定体と下階の被固定体とが良好に並ぶようになる。
以上のように、本発明の構造物構築方法によれば、各階にて固定部を位置決めすることにより、各階の被固定体を適切な位置に固定することが可能となる。
【０００９】
また、上記の構造物構築方法に関して、上階の前記固定部及び下階の前記固定部を配置する工程では、前記構造物の角部分に設けられる上階の前記固定部及び下階の前記固定部を配置し、上階の前記固定部及び下階の前記固定部の各々を位置決めする工程では、前記治具の前記当接面を前記角部分に設けられる上階の前記固定部及び下階の前記固定部の双方に同時に当接させると、好適である。
上記の方法によれば、構造物の角部分に設けられる上階の固定部及び下階の固定部の各々に対して位置決めを行う。これにより、角部分における各階の固定部の位置が、上記の所定方向において揃えられるようになる。そして、各階において、角部分に設けられた固定部の位置を基準にして、他の部分に設けられた固定部の位置を調整する。この結果、上階にあるすべての固定部の位置と、下階にあるすべての固定部の位置と、を上記の所定方向において揃えることが可能となる。
【００１０】
また、上記の構造物構築方法に関して、上下方向及び前記所定方向の両方向と交差する交差方向に複数の前記被固定体を並べて配置する工程を更に有し、上階の前記固定部及び下階の前記固定部の各々に前記被固定体を固定する工程では、前記交差方向に並んだ複数の前記被固定体を固定し、前記交差方向において複数の前記被固定体を並べて配置する工程では、前記所定方向において複数の前記被固定体の各々の端位置が揃うように複数の前記被固定体を配置すると、より好適である。
上記の方法によれば、各階にて列状に並ぶ複数の被固定体の各々の端位置が上記の所定方向において揃うように各被固定体を位置決めする。これにより、各階において複数の被固定体の各々の端位置が揃った状態で、各被固定体を固定部に固定することが可能となる。
【００１１】
また、上記の構造物構築方法に関して、前記交差方向に複数の前記被固定体を並べて配置する工程は、上階及び下階の各々において実施され、上階において複数の前記被固定体を前記交差方向に並べて配置する際には、上階の前記被固定体と下階の前記被固定体とが上下方向に並び、且つ前記所定方向において上階の前記被固定体の端位置と下階の前記被固定体の端位置が揃うように上階の前記被固定体を配置すると、さらに好適である。
上記の方法によれば、上階において複数の被固定体を並べて配置する際に上階の被固定体と下階の被固定体とが上下に並び、且つ上記の所定方向において上階の被固定体の端位置と下階の被固定体の端位置とが揃うように上階の被固定体を配置する。これにより、上階にて並んだ複数の被固定体、及び、下階にて並んだ複数の被固定体が面一な表面を構成するようになり、この結果、構造物が良好な美観を呈するようになる。
【００１２】
また、上記の構造物構築方法に関して、前記交差方向において複数の前記被固定体を並べて配置する工程は、前記交差方向に延出する組み付け部を、前記交差方向に並んだ複数の前記被固定体のうち、前記交差方向において互いに隣り合う第一被固定体及び第二被固定体の間に跨る位置に配置する工程と、前記所定方向において平板状の第一当接部を前記組み付け部の端及び前記第一被固定体の端に当接させる工程と、前記第一当接部が前記組み付け部の端及び前記第一被固定体の端に当接している間に、前記所定方向において平板状の第二当接部を前記組み付け部の端及び前記第二被固定体の端に当接させる工程と、を有すると、より一層好適である。
上記の方法によれば、互いに隣り合う第一被固定体及び第二被固定体の間に跨る位置に組み付け部を配置し、上記の所定方向において組み付け部の端及び第一被固定体の端の双方に第一当接部を当接させる。その後、上記の所定方向において組み付け部の端及び第二被固定体の端の双方に第二当接部を当接させる。これにより、第一被固定体の端位置と第二被固定体の端位置とが揃うようになる。このような構成であれば、複数の被固定体の各々の端位置を比較的簡単な構成によって揃えることが可能となる。
【００１３】
また、上記の構造物構築方法に関して、下階において前記交差方向に複数の前記被固定体を並べて配置した後に、上階において前記交差方向に複数の前記被固定体を並べて配置し、上階において前記交差方向に複数の前記被固定体を並べて配置する際には、前記所定方向において下階の前記第一被固定体の端、及び、下階の前記第一被固定体の直上位置に配置される上階の前記第一被固定体の端に前記第一当接部を当接させると共に、前記所定方向において下階の前記第二被固定体の端、及び、下階の前記第二被固定体の直上位置に配置される上階の前記第二被固定体の端に前記第二当接部を当接させると、尚一層好適である。
上記の方法によれば、上階の被固定体及び下階の被固定体の各々の端位置を揃える際、下階にて並べられた複数の被固定体の各々の端位置を揃えるために用いた第一当接部及び第二当接部を用いる。具体的には、下階の第一被固定体の端とその直上位置にある上階の第一被固定体の端に第一当接部を当接させると共に、下階の第二被固定体の端とその直上位置にある上階の第二被固定体の端に第二当接部を当接させる。このような構成であれば、各階において複数並んでいる被固定体の各々の端位置を揃えるための器具を、上下に並ぶ被固定体の各々の端位置を揃える際に兼用することが可能となる。
【００１４】
また、上記の構造物構築方法に関して、下階において複数の前記被固定体を前記交差方向に並べて配置する際には、前記交差方向において前記被固定体同士の間に下階隙間が形成されるように複数の前記被固定体を配置し、上階において複数の前記被固定体を前記交差方向に並べて配置するにあたり、前記交差方向における長さが調整可能な調整部を、該調整部の下側部分が前記下階隙間内に収容され、且つ、前記調整部の上側部分が前記下階隙間よりも上方に突出するように配置することと、前記交差方向における前記調整部の長さを、前記交差方向における前記下階隙間の長さと等しくなるように調整することと、を行い、上階において複数の前記被固定体を前記交差方向に並べて配置する際には、前記交差方向において前記調整部の上側部分と隣接する位置に前記被固定体を配置することで、前記交差方向において前記被固定体同士の間に、上下方向において前記下階隙間と連続する上階隙間が形成されるように複数の前記被固定体を配置すると、益々好適である。
上記の方法によれば、下階において被固定体同士の間に隙間（下階隙間）が設けられるように複数の被固定体を配置した後、下階隙間内に調整部を収容し、調整部の横幅を下階隙間の横幅に揃える。その後、下階隙間の上方から突出した調整部の上側部分と隣接する位置に上階の被固定体を配置する。これにより、上階の被固定体同士の間に隙間（上階隙間）が設けられるようになり、当該上階隙間は、その横幅が下階隙間の横幅と揃った状態で下階隙間と連続するようになる。
以上のように、上記の方法であれば、下階及び上階において、上階隙間と下階隙間とが良好に連続するように複数の被固定体を並べて配置すること可能となる。
【００１５】
また、上記の構造物構築方法に関して、前記調整部を配置する際には、前記交差方向に並んだ一対の板片を備える前記調整部を、前記一対の板片の各々の下側部分が前記下階隙間内に収容され、且つ、前記一対の板片の各々の上側部分が前記下階隙間よりも上方に突出するように配置し、前記調整部の長さを調整する際には、前記一対の板片の間の間隔を調整するために前記一対の板片に取り付けられた操作部を、前記間隔が前記交差方向における前記下階隙間の長さと等しくなるまで操作すると、一段と好適である。
上記の方法によれば、調整部の構成が比較的簡易なものとなり、調整部の配置や調整部の横幅の調整をより容易に行うことが可能となる。
【００１６】
さらに、上記の構造物構築方法に関して、複数の階を有する建物の各階において前記被固定体としての外壁パネルを、前記建物の躯体に取り付けられた前記固定部としての取り付け金物に固定して、各階の前記外壁パネルが上下方向に並ぶように前記建物を構築してもよい。
上記の方法であれば、建物の各階において、被固定体としての外壁パネルを取り付け金物（固定部）に固定する場合において、上階の外壁パネルと下階の外壁パネルとが上下方向に良好に並ぶように各階の外壁パネルを固定することが可能となる。
【発明の効果】
【００１７】
本発明の構造物構築方法によれば、上下方向に延出した当接面を有する治具の当該当接面を、上階の固定部及び下階の固定部の双方に当接することで、上階の固定部及び下階の固定部の各々を所定方向（被固定部の厚み方向が沿う方向）において位置決めする。これにより、各階の被固定体を適切な位置にて固定することが可能になる。
【図面の簡単な説明】
【００１８】
【図１】建物の外壁を正面から見た図である。
【図２】外壁パネルと位置決め部材とを示す斜視図である。
【図３】外壁パネルの取り付け構造を示す図である。
【図４Ａ】取り付け金物の位置調整についての説明図である。
【図４Ｂ】治具を用いて固定部を位置決めする手順についての説明図である（その１）。
【図４Ｃ】治具を用いて固定部を位置決めする手順についての説明図である（その２）。
【図５】外壁工事の手順を示す図である。
【図６】固定部の位置決めに用いられる治具の一例を示す図である。
【図７】外壁パネルを配置する手順を示す図である。
【図８Ａ】調整部の平面図である。
【図８Ｂ】調整部の側面図である。
【図９】外壁パネルに取り付けられた状態の位置決め部材を示す図である。
【図１０】位置決め部材による外壁パネルの位置決め方法に関する説明図である。
【図１１】所定方向において外壁パネルを位置決めする手順を示す図である。
【図１２】所定方向において位置決めされた状態の外壁パネルを上方から見た図である。
【図１３】所定方向において下階の外壁パネルの端位置と上階の外壁パネルの端位置とを揃える様子を示す図である。
【図１４】上階の外壁パネルの間の隙間を調整する手順を示す図である。
【図１５】調整部をセットした状態を示す図である。
【図１６】調整部によって上階の外壁パネルの間の隙間を調整する様子を示す図である。
【発明を実施するための形態】
【００１９】
以下、本発明の一実施形態（以下、本実施形態）の構造物構築方法について、具体例を挙げて説明する。ただし、下記の実施形態は、本発明の理解を容易にするためのものであり、本発明を限定するものではない。すなわち、本発明は、その趣旨を逸脱することなく、変更、改良され得る。また、当然ながら本発明にはその等価物が含まれ得る。
【００２０】
なお、以下では、外壁を有する建物（住宅、店舗、建屋等）を構造物の一例として挙げて説明する。つまり、以下では、本発明の構造物構築方法を用いて建物を建設するケースについて説明することとする。ただし、建物は、あくまでも構造物の一例に過ぎず、本発明の構造物構築方法は、建物以外の構造物、例えば、太陽光パネルとフレームからなる太陽光発電設備、セグメントを連ねて構築されるシールド工法式のトンネル、あるいは船体ブロックを組み立てて構築される船体を構築する際にも利用可能である。
【００２１】
＜＜建物及び外壁工事の概要＞＞
本実施形態に係る構造物構築方法について説明するにあたり、建物及び建物の外壁工事について説明する。なお、以下の説明において、水平方向とは、建物の梁間方向若しくは桁行方向のことであり、上下方向とは、鉛直方向のことである。また、以下の説明中、建物の各構成部品（建材）の位置や向きについては、特に断る場合を除き、完成した建物における位置や向きを述べることとする。
【００２２】
本実施形態に係る建物は、複数階建ての建物である。ここで、「階」とは、建物内部を上下方向において複数の空間に区画する際の単位である。また、建物には図１に図示の外壁１が設けられている。外壁１は、水平方向及び上下方向の各方向に外壁パネル２を敷き詰めることにより構成されている。図１は、建物の外壁１を正面から見た図である。
【００２３】
より具体的に説明すると、本実施形態では、建物の各階において外壁パネル２を当該外壁パネル２の厚み方向が出入方向に沿った状態で建物の躯体に固定し、各階の外壁パネル２が上下方向に沿って列状に並ぶように建物を構築する。
【００２４】
ここで、「出入方向」とは、本発明の所定方向に相当し、具体的には外壁パネル２の取り付け方向であり、換言すると、後述する取り付け金物３の固定面３ａを貫く方向（すなわち、固定面３ａの法線方向）である。より具体的に説明すると、例えば、梁間方向に沿って並んだ複数の外壁パネル２から見たときには、桁行方向が出入方向に相当し、桁行方向に沿って並んだ複数の外壁パネル２から見たときには、梁間方向が出入方向に相当する。
なお、以下では、出入方向において建物の躯体（厳密には、取り付け金物３）により近い側を「屋内側」と呼び、躯体（厳密には、取り付け金物３）からより離れている側を「屋外側」と呼ぶこととする。
【００２５】
外壁パネル２の構成について説明すると、外壁パネル２は、被固定体に相当し、公知の外壁パネルと略同様の構造となっている。具体的に説明すると、外壁パネル２は、図２に示すように屋外側に面する仕上材２ａと、外壁パネル２の厚み方向において仕上材２ａと隣接しており仕上材２ａよりも屋内側に位置するパネル本体２ｂと、を有する。図２は、外壁パネルと後述する位置決め部材とを示す斜視図である。パネル本体２ｂは、略矩形状に成形されたフレーム２ｃ内に不図示の断熱材を充填し、その周りをアルミ蒸着フィルム２ｄで覆うことで構成されている。
【００２６】
上記のように構成された外壁パネル２は、建物の各階において、図１に示すように水平方向において列状に並べられた状態で複数配置される。ここで、水平方向は、上下方向及び出入方向の両方向と交差する交差方向に相当する。
【００２７】
列状に並ぶ複数の外壁パネル２の各々は、図３に示すように取り付け金物３を介して建物の躯体（具体的には、梁４や柱５）に固定される。図３は、外壁パネル２の取り付け構造を示す平面図である。ここで、取り付け金物３において屋外側に面する面は、外壁パネル２が固定される固定面３ａに相当する。外壁パネル２は、その裏面（屋内側を向く面）を固定面３ａに当接させた状態で取り付け金物３を介して梁４や柱５に固定される。
【００２８】
取り付け金物３は、固定部に相当し、建物の各階において、水平方向に沿って並べられた状態で複数設けられている。各取り付け金物３は、梁４や柱５にボルト留めあるいは溶接にて固定されている。また、外壁１を構成する外壁パネル２のうち、同じ向きに面する外壁パネル２を固定するために用いられる複数の取り付け金物３は、それぞれの固定面３ａが出入方向において揃えられるように位置決めされる。
【００２９】
具体的に説明すると、建物中の各階において水平方向に沿って並べられた複数の取り付け金物３のうち、建物の角部分（具体的には、入隅部や出隅部）に設けられた取り付け金物３を基準として、残りの取り付け金物３の各々の位置を出入方向において調整する。より詳しく説明すると、図４Ａに示すように、建物の水平方向一端側にある角部分に設けられた取り付け金物３と、水平方向他端側にある角部分に設けられた取り付け金物３と、の間に水糸８を架設する。厳密には、水平方向一端側の取り付け金物３の固定面３ａから、水平方向他端側の取り付け金物３の固定面３ａまで水糸８を張る。図４Ａは、取り付け金物３の位置調整についての説明図であり、取り付け金物３周辺を上方から見た図（平面図）である。
【００３０】
そして、水平方向において角部分の間に位置する取り付け金物３は、その固定面３ａが出入方向において上記の如く張られた水糸８に接するように位置決めされる。この結果、各階において水平方向に沿って複数並べられる取り付け金物３の各々の固定面３ａが、出入方向において揃うようになる。なお、上記手順による取り付け金物３の位置調整は、建物の階数に応じた回数だけ繰り返し実施される。
【００３１】
上記の如く位置決めされた取り付け金物３には外壁パネル２が固定される。このとき、外壁パネル２は、水平方向及び上下方向の両方向において外壁パネル２同士の間に間隔を開けながら並んだ状態で配置される。これにより、外壁１には、図１に示すように外壁パネル２同士の間の隙間が連なった目地が形成される。より具体的に説明すると、水平方向において互いに隣り合う一対の外壁パネル２の間の隙間が鉛直方向に連続することで縦目地６が形成されている。また、上下に隣り合う一対の外壁パネル２の間の隙間が水平方向に連続することで横目地７が形成されている。
【００３２】
ここで、縦目地６を構成する外壁パネル２同士の隙間、すなわち、水平方向において互いに隣り合う一対の外壁パネル２同士の間の隙間を以降、「縦の隙間」と呼ぶこととする。なお、上下方向において互いに隣接する二つの階のうち、より下階に位置する縦の隙間は、「下階隙間」に相当し、より上階に位置する縦の隙間は、「上階隙間」に相当する。下階隙間と上階隙間とは、互いに連続する（つまり、同じ縦目地６に属する）位置関係にある。
【００３３】
次に、外壁１を構築する工事（外壁工事）について説明すると、外壁工事は図５に図示の手順に従って進められる。図５は、外壁工事の手順を示す図である。具体的に説明すると、外壁工事は、取り付け金物３の設置（Ｓ００１）、取り付け金物３の位置決め（Ｓ００２）、外壁パネル２の配置（Ｓ００３）、外壁パネル２の固定（Ｓ００４）の順に行われる。
【００３４】
取り付け金物３を設置する工程Ｓ００１では、各階において取り付け金物３を設置位置に配置する。このとき、上階の取り付け金物３及び下階の取り付け金物３を上下方向に並べて配置する。より詳しく説明すると、本工程Ｓ００１では、取り付け金物３を梁４や柱５に対してセットし、その時点での位置にて仮留めしておく。なお、各階において取り付け金物３を設置する際には、建物の角部分を含む建物の各箇所に取り付け金物３を配置するが、このとき、建物の角部分に在る取り付け金物３については、図４Ａに示すように柱５の外表面に取り付ける。
【００３５】
取り付け金物３を位置決めする工程Ｓ００２では、前述した水糸８等を用いて、仮留めされた各階の取り付け金物３の位置を出入方向において調整して位置決めする。これにより、同じ向きに面する外壁パネル２を固定するために用いられる複数の取り付け金物３の各々の固定面３ａの位置が、出入方向において揃うようになる。なお、取り付け金物３を位置決めする工程Ｓ００２については、後に詳しく説明する。
【００３６】
外壁パネル２を配置する工程Ｓ００３では、各階において複数の外壁パネル２を水平方向に並ぶように配置する。本工程Ｓ００３は、各階別に行われ、詳しくは下階から順に行われる。より具体的に説明すると、下階において複数の外壁パネル２を水平方向に並べて配置した後に、その直上階において複数の外壁パネル２を水平方向に並べて配置する。
【００３７】
外壁パネル２を配置する際の具体的な手順について概説すると、水平方向に沿って並ぶ複数の外壁パネル２をクレーン等によって同時に吊り上げる。ここで、同時に吊り上げられる複数の外壁パネル２のうち、水平方向において互いに隣り合う二つの外壁パネル２の一方は、第一被固定体に該当し、以下では「第一パネル２Ｍ」と呼ぶこととし、他方は、第二被固定体に該当し、以下では「第二パネル２Ｎ」と呼ぶこととする。
【００３８】
吊り上げられた各外壁パネル２は、吊り上げられた状態のまま、出入方向において取り付け金物３の固定面３ａの手前位置に配置される。そして、各外壁パネル２は、取り付け金物３の固定面３ａの手前位置に至った状態では、当該外壁パネル２の厚み方向が出入方向に沿った姿勢にて吊られている。
【００３９】
また、本実施形態では、建物の各階において複数の外壁パネル２を水平方向に並べて配置する際、水平方向において外壁パネル２同士の間に隙間（厳密には、縦の隙間）が形成されるように複数の外壁パネル２を配置する。
【００４０】
また、各外壁パネル２を配置するに際し、吊り込まれた状態にある複数の外壁パネル２の各々の端位置（厳密には、各外壁パネル２の裏面の位置）が出入方向において揃うように各外壁パネル２を位置決めする。具体的に説明すると、第一パネル２Ｍの裏面と第二パネル２Ｎの裏面とが面一となるように、第一パネル２Ｍに対して第二パネル２Ｎの位置を調整する。
【００４１】
上述した外壁パネル２の位置決めは、各階別に行われる。つまり、下階にて水平方向に並べられる複数の外壁パネル２の各々の端位置が揃うように下階の各外壁パネル２が位置決めされた後、上階にて水平方向に並べられる複数の外壁パネル２の各々の端位置が揃うように上階の各外壁パネル２が位置決めされる。
【００４２】
また、上階の外壁パネル２を位置決めする際には、出入方向において上階の外壁パネル２の端位置とその直下に位置する下階の外壁パネル２の端位置とが揃うように、上階の各外壁パネル２を位置決めする。具体的に説明すると、出入方向において下階の第一パネル２Ｍの裏面と、その直上位置に配置される上階の第一パネル２Ｍの裏面とが面一となり、且つ、下階の第二パネル２Ｎの裏面と、その直上位置に配置される上階の第二パネル２Ｎの裏面とが面一となるように、上階の第一パネル２Ｍ及び第二パネル２Ｎの各々を位置決めする。
【００４３】
さらに、２階以上の階の外壁パネル２については、出入方向において位置決めすると共に、外壁パネル２同士間の隙間（厳密には、縦の隙間）の調整を行うことになっている。この隙間調整により、上階の外壁パネル２の間に形成される縦の隙間の横幅が、下階の外壁パネル２の間に形成される縦の隙間の横幅と揃うようになる。この結果、上階の外壁パネル２の間に形成される縦の隙間と、下階の外壁パネル２の間に形成される縦の隙間とが良好に連続し、外壁１において直線状に延びた縦目地６が形成されるようになる。
なお、外壁パネル２を配置する工程Ｓ００３については、後に詳しく説明する。
【００４４】
外壁パネル２を固定する工程Ｓ００４では、各階において、上記の如く位置決めされた外壁パネル２の各々を、その前の工程Ｓ００２において位置決めされた取り付け金物３の各々に固定する。つまり、本工程Ｓ００４は、位置決めされた上階の取り付け金物３及び下階の取り付け金物３の各々に対して、位置決めされた各外壁パネル２を固定する工程である。
【００４５】
なお、各階において水平方向に並ぶ複数の外壁パネル２の各々は、外壁パネル２間に隙間（厳密には、縦の隙間）を開けながら取り付け金物３に固定される。そして、各階において外壁パネル２の固定が完了すると、一面分の外壁１が構築され、当該外壁１では、縦目地６が上端から下端まで略均一な幅で鉛直方向に沿って直線状に連続するように形成される。同様に、横目地７が水平方向一端から他端まで略均一な幅で水平方向に沿って直線状に連続するように形成される。
【００４６】
＜＜取り付け金具を位置決めする工程について＞＞
次に、上述した外壁工事のうち、取り付け金物３を出入方向において位置決めする工程Ｓ００２について、より詳細に説明する。
取り付け金物３を出入方向において位置決めする工程Ｓ００２では、前述したように、各階において、水平方向に並ぶ複数の取り付け金物３の各々の固定面３ａが出入方向において揃うように、水糸８等によって各取り付け金物３を位置決めする。
【００４７】
ところで、従来においても、各階の取り付け金物３の位置を水糸８等によって調整していた。しかし、従来の方法では、出入方向における取り付け金物３の位置決め後の位置が階毎に異なってしまう可能性があった。より詳しく説明すると、発明が解決しようとする課題の項で説明したように、水糸８を用いることで、同じ階の取り付け金物３の位置については揃えられるものの、互いに異なる階にある取り付け金物３の位置については、水糸８だけで揃えることが困難である。
【００４８】
これに対して、本実施形態では、図６に図示の治具（以下、調整治具３０）を用いることで、上階の取り付け金物３及び下階の取り付け金物３の各々の固定面３ａを出入方向において面一となるように揃えることが可能である。図６は、取り付け金物３の位置決めに用いられる調整治具３０の一例を示す斜視図である。
【００４９】
調整治具３０について説明すると、調整治具３０は、図６に示すように、比較的長く延出している長尺な鋼材からなり、より詳しくはＬ型のアングル材によって構成されている。この調整治具３０の内側壁面には、取り付け金物３の位置決め時に取り付け金物３の固定面３ａに当接する当接面３１が設けられている。
【００５０】
以下、上記の調整治具３０を用いて上階の取り付け金物３及び下階の取り付け金物３の各々を位置決めする手順について、図４Ｂ及び図４Ｃを参照しながら説明する。図４Ｂ及び図４Ｃは、調整治具３０を用いて取り付け金物３を位置決めする手順についての説明図であり、図４Ｂは、取り付け金物３周辺を上方から見た図であり、図４Ｃは、取り付け金物３周辺を側方から見た図である。
なお、以下では、ある向きに面した外壁パネル２を固定するための取り付け金物３に対して位置決めを行うケースを想定して説明することとする。
【００５１】
上階の取り付け金物３及び下階の取り付け金物３の各々を位置決めするにあたり、上階及び下階のそれぞれにおいて、水平方向に沿って並ぶ複数の取り付け金物３の各々を梁４や柱５に対して仮留めする。このとき、建物の角部分では、図４Ｂに示すように取り付け金物３を柱５の外表面に取り付ける。
【００５２】
取り付け金物３の仮留めが完了した後、調整治具３０を準備し、その長手方向が上下方向に沿うように調整治具３０を立てる。このとき、調整治具３０の当接面３１は、上下方向に延出した状態にある。そして、図４Ｃに示すように、当接面３１が下階の取り付け金物３（図４Ｃ中、記号３ｔと表記）及び上階の取り付け金物３（図４Ｃ中、記号３ｕと表記）の双方に同時に当接するように調整治具３０をセットする。
【００５３】
より詳しく説明すると、下階にて水平方向に並べられる複数の取り付け金物３のうち、建物の角部分に設けられた取り付け金物３の固定面３ａに当接面３１が当接するように調整治具３０をセットする。このとき、調整治具３０は、当接面３１の法線方向が出入方向に沿った状態（厳密には出入方向と略平行な状態）にある。また、調整治具３０には、図４Ｂや図４Ｃに示すように風防下げ振り４０が取り付けられる。作業者は、風防下げ振り４０によって調整治具３０自体の鉛直度（分かり易くは、調整治具３０の長手方向と上下方向との間の平行度）を確認し、調整治具３０の長手方向が上下方向と略平行となるように調整治具３０の姿勢を調整する。そして、調整治具３０の長手方向が上下方向と略平行となると、当接面３１の法線方向が出入方向と略平行になる。
【００５４】
その後、当接面３１に当接している下階の取り付け金物３の直上位置にある上階の取り付け金物３（すなわち、建物の角部分に設けられた上階の取り付け金物３）の固定面３ａが当接面３１に当接するように、上階の取り付け金物３の位置を調整する。
【００５５】
以上のように本実施形態では、取り付け金物３の位置決めを行うにあたり、当接面３１の法線方向が出入方向と略平行になるように調整治具３０をセットし、建物の角部分に設けられた下階の取り付け金物３及び上階の取り付け金物３の双方を当接面３１に同時に当接させる。これにより、建物の角部分に設けられた下階の取り付け金物３及び上階の取り付け金物３の各々について、当該各々の固定面３ａの位置が出入方向で揃えられる。
【００５６】
その上で、下階及び上階の各階において、建物の角部分に設けられた取り付け金物３から水糸８を張り、この水糸８を用いて、各階にて水平方向に並べられた複数の取り付け金物３の各々を出入方向において位置決めする。これにより、上階にあるすべての取り付け金物３の位置と、下階にあるすべての取り付け金物３の位置と、が出入方向において揃えられるようになる。換言すると、下階にある各取り付け金物３の固定面３ａと、上階にある各取り付け金物３の固定面３ａと、が略面一となる。すなわち、ある向きに面した各外壁パネル２を固定するための固定面３ａの、出入方向における位置が各階間で略同一となり、結果として、ある向きに面した外壁パネル２により構築される外壁１が良好な美観を呈するようになる。
【００５７】
なお、本実施形態において、下階の取り付け金物３（厳密には、取り付け金物３ｔ）は、上下方向に離れた位置にて一対設けられている。同様に、上階の取り付け金物３（厳密には、取り付け金物３ｕ）は、上下方向に離れた位置にて一対設けられている。本実施形態に係る調整治具３０は、図４Ｃに示すように、上下一対設けられた下階の取り付け金物３ｔの各々と、上下一対設けられた上階の取り付け金物３ｕのうち、より下方に位置する方の取り付け金物３ｕと、に当接面３１が当接するように配置される。
【００５８】
また、建物の角部分に設けられた取り付け金物３は、建物の角部分に配置された柱５に取り付けられている。本実施形態に係る調整治具３０は、前述したようにＬ型のアングル材からなり、図４Ｂに示すように当該アングル材の直角部を上記柱５の直角部にフィットさせることで、当接面３１を取り付け金物３に良好に当接させることが可能である。
【００５９】
なお、柱５のうち、取り付け金物３が取り付けられている面と直交する面には、他の取り付け金物３ｘが取り付けられている。ここで、他の取り付け金物３ｘは、取り付け金物３に固定される外壁パネル２（すなわち、ある向きに面した外壁パネル２）の向きとは直交した向きを向く外壁パネル２を固定するために用いられる。そして、本実施形態に係る調整治具３０は、図４Ｂに示すように、ある向きに面した外壁パネル２を固定するための取り付け金物３と当接する際に、上記他の取り付け金物３ｘにも当接する。これにより、調整治具３０が取り付け金物３と当接している状態を、より安定させることが可能となる。
【００６０】
＜＜外壁パネルを配置する工程について＞＞
次に、上述した外壁工事のうち、外壁パネル２を配置する工程Ｓ００３について、より詳細に説明する。
外壁パネル２を配置する工程Ｓ００３では、前述したように、各階において複数の外壁パネル２を水平方向に並ぶように配置する。また、外壁パネル２を配置する工程Ｓ００３では、出入方向において外壁パネル２を位置決めする。さらに、２階以上の階の外壁パネル２については、出入方向における位置決めと共に、外壁パネル２間の隙間調整も行う。
【００６１】
外壁パネル２を配置する工程Ｓ００３の手順について説明すると、本工程Ｓ００３は、図７に図示の流れに従って進行する。図７は、外壁パネル２を配置する工程の流れを示す図である。具体的に説明すると、外壁パネル２を配置する工程Ｓ００３では、先ず、外壁パネル２に所定の治具を取り付ける（Ｓ０１１）。当該治具が取り付けられた状態の外壁パネル２を吊り込んで取り付け金物３の固定面３ａの手前位置まで搬送する（Ｓ０１２）。このとき、同じ階において水平方向に並ぶ複数の外壁パネル２は、同時に吊り込まれる。
【００６２】
その後、吊り込んだ状態にある複数の外壁パネル２の各々に対して、出入方向における位置決めを行う（Ｓ０１５）。具体的には、出入方向において複数の外壁パネル２の各々の裏面が面一となるように各外壁パネル２を位置決めする。これにより、出入方向において複数の外壁パネル２の各々の端位置が揃った状態で各外壁パネル２が配置される。
【００６３】
また、出入方向における各外壁パネル２の位置決めは、各階別に繰り返し実施される。さらに、上階において複数の外壁パネル２を水平方向に並べて配置する際には、上階の外壁パネル２と下階の外壁パネル２とが上下方向に並び、且つ出入方向において上階の外壁パネル２の端位置と下階の外壁パネル２の端位置が揃うように上階の各外壁パネル２を配置する。
【００６４】
さらにまた、２階以上の外壁パネル２については（Ｓ０１３でＹｅｓ）、前述したように、外壁パネル２の間に形成される隙間（厳密には、縦の隙間）の横幅が調整される（Ｓ０１４）。この隙間調整により、上階の外壁パネル２の間に形成される隙間の横幅が下階の外壁パネル２の間に形成される隙間の横幅と揃った状態で、上階の各外壁パネル２が配置されるようになる。
【００６５】
ところで、本実施形態において外壁パネル２を位置決めする際には、図２に図示の位置決め部材１０が利用される。また、上階の外壁パネル２の間の隙間を調整する際には、図８Ａ及び図８Ｂに図示の隙間調整具５０が利用される。図８Ａ及び図８Ｂは、隙間調整具５０を示す図であり、図８Ａが隙間調整具５０の平面図を示し、図８Ｂが隙間調整具５０の側面図を示している。
以下では、位置決め部材１０や隙間調整具５０の構造について言及しつつ、外壁パネル２の位置決め方法について具体的に説明する。
【００６６】
（位置決め部材について）
位置決め部材１０は、各階において水平方向に沿って並ぶ複数の外壁パネル２の各々を、出入方向において位置決めする際に用いられる。位置決め部材１０は、図２及び図９に示すように、組み付け部１１、保持部１２、位置調整部１３及び二つの当接部（具体的には第一当接部１５及び第二当接部１８）によって構成されている。図９は、外壁パネル２に取り付けられた状態の位置決め部材１０を示す図である。
【００６７】
組み付け部１１は、図２に示すように長尺なＬ型のアングル材によって構成されており、互いに略直交する水平部分１１ａ及び突出部分１１ｂを有する。組み付け部１１は、外壁パネル２が吊り込まれている間、水平方向に沿って並ぶ複数の外壁パネル２の各々に組み付けられる。具体的には、図９に示すように、各外壁パネル２の上端面に水平部分１１ａが締結される。このとき、組み付け部１１は、その長手方向が水平方向に沿っており（換言すると、水平方向に延出しており）、出入方向において突出部分１１ｂの端が各外壁パネル２の端（裏面）と揃った状態にある。
【００６８】
保持部１２は、外壁パネル２の位置決め中、出入方向において複数の外壁パネル２の一つの端位置（具体的には第一パネル２Ｍ）と組み付け部１１の端位置とが揃った状態を保持するためのものである。保持部１２は、図２に図示した下側第一治具１４と上側第一治具１６と第一押圧部２１と第二押圧部２２とを構成要素として備えている。これらは、平板状の第一当接部１５と協働して、第一パネル２Ｍの端位置と組み付け部１１の端位置とが揃った状態を保持する。
【００６９】
第一当接部１５は、略矩形状の鋼板からなり、外壁パネル２の位置決め中、図１０に示すように、出入方向において組み付け部１１の突出部分１１ｂ及び第一パネル２Ｍの端（裏面）と当接する位置に配置される。図１０は、位置決め部材１０による外壁パネル２の位置決め方法に関する説明図であり、位置決め部材１０が取り付けられた状態の第一パネル２Ｍの側面図である。
【００７０】
下側第一治具１４は、図２に示すように側面視でコの字状に成形された金物であり、互いに対向しながら延出している一対の立設部１４ａと、立設部１４ａ間を連結する連結部１４ｂとを有する。一方の立設部１４ａ（以下、屋内側の立設部１４ａ）には第一押圧部２１を取り付けるためのネジ孔（不図示）が形成されている。第一押圧部２１は、図２に示すように第一ネジ体２１ａ及び押圧キャップ２１ｂを備えている。第一ネジ体２１ａは、下側第一治具１４が有する屋内側の立設部１４ａに設けられたネジ孔に螺合しており、操作されて回転することで第一ネジ体２１ａの中心軸に沿って進退し、所定方向に回転した際には、その先端部が反対の立設部１４ａ（以下、屋外側の立設部１４ａ）に近付くように進行する。押圧キャップ２１ｂは、第一ネジ体２１ａの先端部に取り付けられたゴム製のキャップである。
【００７１】
上側第一治具１６は、外観上、下側第一治具１４と略同様の構造であり、図２及び図９に示すように、一対の立設部１６ａと、立設部１６ａ間を連結する連結部１６ｂとを有する。一方の立設部１６ａ（以下、屋内側の立設部１６ａ）には第二押圧部２２を取り付けるためのネジ孔（不図示）が形成されている。第二押圧部２２は、図２に示すように第二ネジ体２２ａ及び押圧キャップ２２ｂを備える。第二ネジ体２２ａ及び押圧キャップ２２ｂは、第一押圧部２１が有する第一ネジ体２１ａ及び押圧キャップ２１ｂと同じ構造であり、使用方法についても同様である。
【００７２】
位置調整部１３は、出入方向において第一パネル２Ｍの端位置が組み付け部１１の端位置と揃っている間に、出入方向において組み付け部１１の端位置と第二パネル２Ｎの端位置とが揃うように、組み付け部１１に対する第二パネル２Ｎの位置を調整するためのものである。位置調整部１３は、図２に示すように下側第二治具１７と上側第二治具１９と第三押圧部２３と第四押圧部２４とを構成要素として備えている。これらは、平板状の第二当接部１８と協働して、組み付け部１１に対する第二パネル２Ｎの位置を調整する。
【００７３】
第二当接部１８は、略矩形状の鋼板からなり、出入方向において第一当接部１５が突出部分１１ｂ及び第一パネル２Ｍの裏面と当接している間、突出部分１１ｂ及び第二パネル２Ｎの端（裏面）と当接する位置に配置される。
【００７４】
下側第二治具１７は、下側第一治具１４と同じ構造であり、図２に示すように一対の立設部１７ａ及び連結部１７ｂを有する。また、一方の立設部１７ａ（以下、屋内側の立設部１７ａ）には第三押圧部２３を取り付けるためのネジ孔（不図示）が形成されている。第三押圧部２３は、図２に示すように第三ネジ体２３ａ及び押圧キャップ２３ｂを備える。第三ネジ体２３ａ及び押圧キャップ２３ｂは、第一押圧部２１が有する第一ネジ体２１ａ及び押圧キャップ２１ｂと同じ構造であり、使用方法についても同様である。
【００７５】
上側第二治具１９は、上側第一治具１６と同じ構造であり、図２に示すように一対の立設部１９ａ及び連結部１９ｂを有する。また、一方の立設部１９ａ（以下、屋内側の立設部１９ａ）には第四押圧部２４を取り付けるためのネジ孔（不図示）が形成されている。第四押圧部２４は、図２に示すように図２に示すように第四ネジ体２４ａ及び押圧キャップ２４ｂを有する。第四ネジ体２４ａ及び押圧キャップ２４ｂは、第一押圧部２１が有する第一ネジ体２１ａ及び押圧キャップ２１ｂと同じ構造であり、使用方法についても同様である。
【００７６】
（出入方向における外壁パネルの位置決めについて）
以下、上述した位置決め部材１０によって外壁パネル２を出入方向において位置決めする方法について説明する。
出入方向において外壁パネル２を位置決めするにあたり、水平方向に並ぶ複数の外壁パネル２（厳密には、同じ階に位置して水平方向に並べられる複数の外壁パネル２）の各々に、下側第一治具１４や下側第二治具１７に相当する治具を取り付ける。
【００７７】
当該治具の取り付け手順について、下側第一治具１４を例に挙げて説明すると、外壁パネル２が有するパネル本体２ｂの裏面の上方部分には、図２に示すように、水平方向に沿ってアルミ蒸着フィルム２ｄを切ることで形成された切れ目（以下、上方切れ目Ｍ１）が設けられている。この上方切れ目Ｍ１に、下側第一治具１４が有する一対の立設部１４ａのうち、屋外側の立設部１４ａを差し込む。上方切れ目Ｍ１に差し込まれた屋外側の立設部１４ａは、図１０に示すように、パネル本体２ｂ内部においてフレーム２ｃの上端部と係合し、当該フレーム２ｃの上端部と当接する。これにより、下側第一治具１４が図９に示すように外壁パネル２の上端部に取り付けられる。
なお、下側第二治具１７を外壁パネル２に取り付ける場合の手順は、上記の取り付け手順と同様であるため、説明を省略することとする。
【００７８】
その後、治具が取り付けられた複数の外壁パネル２を同時に吊り上げ、外壁１において最も水平方向一端側に位置する外壁パネル２を第一パネル２Ｍとし、これと隣り合う外壁パネル２を第二パネル２Ｎとして位置決めを開始する。出入方向における外壁パネル２の位置決めは、図１１に図示の流れに沿って進められる。図１１は、出入方向において外壁パネル２を位置決めする手順を示す図である。
【００７９】
出入方向において外壁パネル２を位置決めする工程では、先ず、水平方向において第一パネル２Ｍ及び第二パネル２Ｎの間に跨る位置に、組み付け部１１を配置する（Ｓ０２１）。組み付け部１１が上記の位置に配置された後、組み付け部１１の水平部分１１ａを第一パネル２Ｍの上端面に締結して組み付け部１１を第一パネル２Ｍに組み付ける（Ｓ０２２）。
【００８０】
その後、組み付け部１１のうち、第一パネル２Ｍに組み付けられた部分に在る突出部分１１ｂに上側第一治具１６を取り付ける（Ｓ０２３）。具体的に説明すると、図１０に示すように、組み付け部１１のうち、第一パネル２Ｍに組み付けられた部分に在る突出部分１１ｂを出入方向において一対の立設部１６ａの間に挟むように上側第一治具１６を配置する。このとき、一対の立設部１６ａのうち、第二押圧部２２が取り付けられる側とは反対側の立設部１６ａ（屋外側の立設部１６ａ）が突出部分１１ｂと係合し、当該突出部分１１ｂの屋外側の端面と当接する。これにより、上側第一治具１６が組み付け部１１の突出部分１１ｂに取り付けられる。なお、本実施形態において、第一パネル２Ｍの上端部には下側第一治具１４が取り付けられており、上側第一治具１６は、第一パネル２Ｍに取り付けられた下側第一治具１４の略直上位置に配置される。
【００８１】
上側第一治具１６の取り付けが完了した後、下側第一治具１４及び上側第一治具１６の各々が有する一対の立設部１４ａ、１６ａの間に第一当接部１５を配置する（Ｓ０２４）。具体的には、図１０に示すように、第一当接部１５の下側部分が第一パネル２Ｍの裏面に対向し、第一当接部１５の上側部分が突出部分１１ｂの屋内側の端面に対向するように第一当接部１５を配置する。
【００８２】
その後、下側第一治具１４に取り付けられた第一押圧部２１、及び、上側第一治具１６に取り付けられた第二押圧部２２をそれぞれ操作して、第一当接部１５を、組み付け部１１のうち、第一パネル２Ｍに組み付けられた部分に在る突出部分１１ｂ及び第一パネル２Ｍの裏面の双方に押し付ける（Ｓ０２５）。
【００８３】
具体的には、第一押圧部２１の第一ネジ体２１ａ及び第二押圧部２２の第二ネジ体２２ａの各々を、その先端部に設けられた押圧キャップ２１ｂ、２２ｂが第一当接部１５に当接するように進行させる。このとき、出入方向において屋外側では、図１０に示すように、下側第一治具１４に備えられた屋外側の立設部１４ａが第一当接部１５とは反対側で第一パネル２Ｍ（厳密にはフレーム２ｃ）と当接する。また、上側第一治具１６に備えられた屋外側の立設部１６ａが第一当接部１５とは反対側で組み付け部１１の突出部分１１ｂと当接する。これにより、第一押圧部２１及び第二押圧部２２が第一当接部１５を押圧する際の反力が確保され、各押圧部が第一当接部１５を適切に押圧するようになる。
【００８４】
そして、第一当接部１５が組み付け部１１の突出部分１１ｂ及び第一パネル２Ｍの裏面と当接することで、出入方向において組み付け部１１の端位置が第一パネル２Ｍの端位置と揃うようになる。以降、外壁パネル２の位置決めが完了するまで間、出入方向において組み付け部１１の端位置（突出部分１１ｂの端位置）が第一パネル２Ｍの端位置と揃った状態が保持される。
【００８５】
以上までの工程が終了した時点において、組み付け部１１は、第一パネル２Ｍの上端に取り付けられている。また、水平方向において第一パネル２Ｍと所定の隙間を隔てて隣り合う位置には、第二パネル２Ｎが配置されている。このとき、第二パネル２Ｎは、組み付け部１１の水平部分１１ａの直下に位置している。かかる状態において、組み付け部１１のうち、第二パネル２Ｎに組み付けられる部分に在る突出部分１１ｂに対して上側第二治具１９を取り付ける（Ｓ０２６）。上側第二治具１９を突出部分１１ｂに取り付ける要領は、上側第一治具１６を突出部分１１ｂに取り付ける際の要領と同様である。
なお、本実施形態において、第二パネル２Ｎの上端部には下側第二治具１７が取り付けられており、上側第二治具１９は、第二パネル２Ｎに取り付けられた下側第二治具１７の略直上位置に配置される。
【００８６】
その後、下側第二治具１７及び上側第二治具１９の各々が有する一対の１７ａ、１９ａの間に第二当接部１８を配置する（Ｓ０２７）。具体的には、第二当接部１８の下側部分が第二パネル２Ｎの裏面に対向し、第二当接部１８の上側部分が突出部分１１ｂの屋内側の端面に対向するように第二当接部１８を配置する。
【００８７】
第二当接部１８の配置後、下側第二治具１７に取り付けられた第三押圧部２３、及び、上側第二治具１９に取り付けられた第四押圧部２４をそれぞれ操作して、第二当接部１８を、組み付け部１１のうち、第二パネル２Ｎに組み付けられる部分に在る突出部分１１ｂ及び第二パネル２Ｎの裏面の双方に押し付ける（Ｓ０２８）。
【００８８】
具体的には、第三押圧部２３の第三ネジ体２３ａ及び第四押圧部２４の第四ネジ体２４ａの各々を、その先端部に設けられた押圧キャップ２３ｂ、２４ｂが第二当接部１８に当接するように進行させる。このとき、出入方向において屋外側では、下側第二治具１７に備えられた屋外側の立設部１７ａが第二当接部１８とは反対側で第二パネル２Ｎ（厳密にはフレーム２ｃ）と当接する。また、上側第二治具１９に備えられた屋外側の立設部１９ａが第二当接部１８とは反対側で組み付け部１１の突出部分１１ｂと当接する。これにより、第三押圧部２３及び第四押圧部２４が第二当接部１８を押圧する際の反力が確保され、各押圧部が第二当接部１８を適切に押圧するようになる。
【００８９】
そして、第二当接部１８が組み付け部１１の突出部分１１ｂ及び第二パネル２Ｎの裏面と当接することで、出入方向において組み付け部１１の端位置が第二パネル２Ｎの端位置と揃うようになる。これにより、図１２に示すように、出入方向において第一パネル２Ｍの裏面が第二パネル２Ｎの裏面と揃う（面一となる）ように、組み付け部１１に対する第二パネル２Ｎの位置が調整される。図１２は、出入方向において位置決めされた状態の外壁パネル２を上方から見た図である。
【００９０】
以上までの工程により、第二パネル２Ｎの位置が調整され、出入方向において第二パネル２Ｎの端位置が組み付け部１１の突出部分１１ｂの端位置と揃うようになる。すなわち、第二パネル２Ｎが組み付け部１１に対して位置決めされる。その後、上記のように位置決めされた第二パネル２Ｎの上端面に組み付け部１１の水平部分１１ａを締結し、組み付け部１１を第二パネル２Ｎに組み付ける（Ｓ０２９）。この時点において、第二パネル２Ｎ一つ分の位置決めが終了する。
【００９１】
以後、それまで第二パネル２Ｎとして取り扱っていた外壁パネル２を第一パネル２Ｍとし、これと隣り合う外壁パネル２（厳密には、それまで第一パネル２Ｍとして取り扱っていた外壁パネル２とは反対側に位置する外壁パネル２）を第二パネル２Ｎとした上で、Ｓ０２２〜Ｓ０２９までの一連の工程を繰り返す。
【００９２】
そして、同じ階に位置して水平方向に並べられる複数の外壁パネル２の各々について、上記一連の工程Ｓ０２２〜Ｓ０２９が繰り返されることで、組み付け部１１が水平方向に沿って並ぶ複数の外壁パネル２のすべてに跨った状態で各外壁パネル２に組み付けられる。この結果、出入方向において複数の外壁パネル２の各々の端位置が揃うように各外壁パネル２が順次、位置決めされる。このとき、水平方向において一定間隔毎（例えば、２〜３枚分の外壁パネル２に相当する間隔毎）に風防下げ振り４０等を外壁パネル２に取り付けて、各外壁パネル２の高さ方向が鉛直方向に対して略平行となっていることを適宜確認するのが望ましい。
【００９３】
そして、複数の外壁パネル２の各々について位置決めが完了した後、各外壁パネル２が取り付け金物３の固定面３ａに固定される。その後、各外壁パネル２に組み付けられていた組み付け部１１が取り外される。取り外された組み付け部１１は、次回以降の位置決めに（具体的には、上階の外壁パネル２を位置決めする際に）再利用される。
【００９４】
また、本実施形態では、ある階において水平方向に並ぶ複数の外壁パネル２の各々が位置決めされて取り付け金物３に固定された後、その直上階において水平方向に並ぶ複数の外壁パネル２の各々について、出入方向における位置決めが行われる。出入方向において上階の外壁パネル２を位置決めする際には、前述した工程Ｓ０２１〜Ｓ０２９を行うと共に、上階の外壁パネル２の端位置と下階の外壁パネル２の端位置とを揃える工程（以下、階間位置揃え工程）を更に実施する。
【００９５】
階間位置揃え工程では、水平方向において同じ位置に位置し、且つ上下方向において互いに隣り合う外壁パネル２同士の端位置（裏面の位置）を揃える。ここで、下階において水平方向に並ぶ複数の外壁パネル２のうちの一つを「下階の第一パネル２Ｍ」としたとき、その直上階において水平方向に並ぶ複数の外壁パネル２のうち、下階の第一パネル２Ｍの直上位置に配置される外壁パネル２を「上階の第一パネル２Ｍ」と呼ぶこととする。また、下階の第一パネル２Ｍと水平方向において隣り合う外壁パネル２を「下階の第二パネル２Ｎ」としたとき、当該下階の第二パネル２Ｎの直上位置に配置される外壁パネル２を「上階の第二パネル２Ｎ」と呼ぶこととする。
【００９６】
階間位置揃え工程では、出入方向において下階の第一パネル２Ｍの端位置と上階の第一パネル２Ｍの端位置とを揃えるために、図１３に示すように、下階の第一パネル２Ｍの上端部に下側第一治具１４を取り付け、上階の第一パネル２Ｍの下端部に上側第一治具１６を取り付ける。図１３は、出入方向において下階の外壁パネル２の端位置と上階の外壁パネル２の端位置とを揃える様子を示す図であり、下階の第一パネル２Ｍ及び上階の第一パネル２Ｍを側方から見た図である。
【００９７】
下階の第一パネル２Ｍの上端部に取り付けられる下側第一治具１４は、下階の外壁パネル２を位置決めする際に利用した下側第一治具１４を、そのまま利用する。すなわち、下側第一治具１４は、下階の外壁パネル２を位置決めしてから上階の外壁パネル２を位置決めするまでの間（厳密には、階間位置揃え工程が完了するまでの間）、下階の第一パネル２Ｍの上端部に取り付けられたままの状態で利用される。
他方、上階の第一パネル２Ｍの下端部に取り付けられる上側第一治具１６は、下階の外壁パネル２を位置決めする際に組み付け部１１の突出部分１１ｂに取り付けられていた上側第一治具１６を取り外すことで用意される。
【００９８】
上階の第一パネル２Ｍの下端部に上側第一治具１６を取り付ける手順について説明すると、第一パネル２Ｍが有するパネル本体２ｂの裏面の下方部分には、図２に示すように、上方切れ目Ｍ１と同様の切れ目（以下、下方切れ目Ｍ２）が設けられている。この下方切れ目Ｍ２に、上側第一治具１６が有する一対の立設部１６ａのうち、屋外側の立設部１６ａを差し込む。下方切れ目Ｍ２に差し込まれた屋外側の立設部１６ａは、図１３に示すように、パネル本体２ｂ内部においてフレーム２ｃの下端部と係合し、当該フレーム２ｃの下端部と当接する。これにより、上側第一治具１６が上階の第一パネル２Ｍの下端部に取り付けられる。
【００９９】
その後、図１３に示すように、下側第一治具１４及び上側第一治具１６の各々が有する一対の立設部１４ａ、１６ａの間に第一当接部１５を配置する。具体的には、同図に示すように、第一当接部１５の下端部が下階の第一パネル２Ｍの裏面に対向し、第一当接部１５の上端部が上階の第一パネル２Ｍの裏面に対向するように第一当接部１５を配置する。
【０１００】
第一当接部１５を上記位置に配置した後、下側第一治具１４に取り付けられた第一押圧部２１、及び、上側第一治具１６に取り付けられた第二押圧部２２をそれぞれ操作する。具体的には、第一押圧部２１の第一ネジ体２１ａ及び第二押圧部２２の第二ネジ体２２ａの各々を、その先端部に設けられた押圧キャップ２１ｂ、２２ｂが第一当接部１５に当接するように進行させる。これにより、第一当接部１５が、下階の第一パネル２Ｍの裏面及び上階の第一パネル２Ｍの裏面の双方に押し当たる。
【０１０１】
そして、第一当接部１５が下階の第一パネル２Ｍの裏面及び上階の第一パネル２Ｍの裏面と当接することで、出入方向において下階の第一パネル２Ｍの端位置が上階の第一パネル２Ｍの端位置と揃うようになる。
【０１０２】
また、階間位置揃え工程では、上記と同様の手順にて、出入方向において下階の第二パネル２Ｎの端位置と上階の第二パネル２Ｎの端位置とを揃える。具体的には、下階の第二パネル２Ｎの上端部に下側第二治具１７を取り付け、上階の第二パネル２Ｎの下端部に上側第二治具１９を取り付ける。ここで、下側第二治具１７は、下側第一治具１４と同様に、下階の外壁パネル２を位置決めしてから上階の外壁パネル２を位置決めするまでの間（厳密には、階間位置揃え工程が完了するまでの間）、下階の第二パネル２Ｎの上端部に取り付けられたままの状態で利用される。他方、上階の第二パネル２Ｎの下端部に取り付けられる上側第二治具１９は、下階の外壁パネル２を位置決めする際に組み付け部１１の突出部分１１ｂに取り付けられていた上側第二治具１９を取り外すことで用意される。
【０１０３】
下階の第二パネル２Ｎに下側第二治具１７を取り付け、上階の第二パネル２Ｎに上側第二治具１９を取り付けた後には、下側第二治具１７及び上側第二治具１９の各々が有する一対の立設部１７ａ、１９ａの間に第二当接部１８を配置する。具体的には、第二当接部１８の下端部が下階の第二パネル２Ｎの裏面に対向し、第二当接部１８の上端部が上階の第二パネル２Ｎの裏面に対向するように第二当接部１８を配置する。
【０１０４】
第二当接部１８の配置後、下側第二治具１７に取り付けられた第三押圧部２３、及び、上側第二治具１９に取り付けられた第四押圧部２４をそれぞれ操作し、第二当接部１８を、下階の第二パネル２Ｎの裏面及び上階の第二パネル２Ｎの裏面の双方に押し当てる。これにより、出入方向において下階の第二パネル２Ｎの端位置が上階の第二パネル２Ｎの端位置と揃うようになる。
【０１０５】
以上のように本実施形態では、下階にて水平方向に並ぶ複数の外壁パネル２の各々の端位置を揃えるために用いた器具（具体的には、下側第一治具１４、上側第一治具１６、下側第二治具１７、上側第二治具１９、第一当接部１５及び第二当接部１８）を、階間位置揃え工程に用いる。すなわち、本実施形態では、下階にて水平方向に並ぶ複数の外壁パネル２の各々を出入方向において位置決めするために用いた器具を、上階の外壁パネル２及び下階の外壁パネル２の各々の端位置を出入方向において揃える際にも利用する。
【０１０６】
（隙間調整具について）
隙間調整具５０について図８Ａ及び図８Ｂを参照しながら説明する。隙間調整具５０は、調整部に相当し、上階の外壁パネル２を下階の外壁パネル２の直上位置に配置する際に、上階の外壁パネル２の間に形成される縦の隙間の横幅を下階の外壁パネル２の間に形成される縦の隙間の横幅と揃えるために用いられる。隙間調整具５０は、図８Ａ及び図８Ｂに示すように、一対の板片５１と、板片５１を連結する連結軸５２と、板片５１間の間隔を調整するために操作される操作部５３と、を有する。
【０１０７】
一対の板片５１は、隙間調整具５０の本体部分をなす部分である。隙間調整具５０は、一対の板片５１が水平方向に並んだ状態で用いられる。各板片５１は、図８Ｂに示すように側方視で略Ｌ字状に成形された鋼板からなり、より背が高い前方部（以下、板片前方部５１ａ）と、より背が低い後方部（以下、板片後方部５１ｂ）とを有する。また、各板片５１は、板片前方部５１ａと板片後方部５１ｂとの間で屈曲しており、詳しくは、図８Ａに示すように板片前方部５１ａと板片後方部５１ｂとの間に鈍角が形成されるように屈曲している。
【０１０８】
通常時の隙間調整具５０では、図８Ａに示すように、一対の板片５１の板片前方部５１ａ同士が互いに平行であり、板片後方部５１ｂ同士が上面視で逆さＶ字をなした状態にある。換言すると、通常時の隙間調整具５０において、一対の板片５１間の間隔の長さは、前方側では一定となっており、後方側では、後端に向かう程長くなっている。
【０１０９】
連結軸５２は、一対の板片５１の間、厳密には板片後方部５１ｂ同士の間を連結するピンやネジである。本実施形態において、連結軸５２は、各板片５１において板片前方部５１ａと板片後方部５１ｂとの境界位置よりも若干後方に位置する部分を貫通するように設けられている。
【０１１０】
操作部５３は、一対の板片５１に取り付けられており、本実施形態では、各板片５１において連結軸５２よりも幾分後方に位置する部分を貫通するように取り付けられた蝶ボルトである。操作部５３の一端部にはナット５４が取り付けられており、当該ナット５４は、図８Ａに示すように一方の板片５１の板片後方部５１ｂの外側面に係止されている。
【０１１１】
そして、操作部５３の頂部（ナット５４とは反対側の端部）を操作すると、一対の板片５１の各々が、板片前方部５１ａと板片後方部５１ｂとの境界位置を支点として動く。かかる動作により、板片後方部５１ｂ同士の間の間隔が狭まる一方で、板片前方部５１ａ同士の間の間隔（厳密には、板片５１の前端同士の間の隙間）が広げられる。このようにして一対の板片５１の間の間隔が調整される。換言すると、操作部５３を操作することで、水平方向における隙間調整具５０の長さを調整することが可能である。
【０１１２】
（上階の外壁パネル間の隙間調整について）
以下、上述した隙間調整具５０によって、上階の外壁パネル２の間の隙間（縦の隙間）を調整する方法について説明する。
隙間調整を行うにあたっては、下階において複数の外壁パネル２が水平方向に並べて配置される。このとき、下階の外壁パネル２の間の隙間（縦の隙間）が規定の長さとなるように調整される。その上で、下階の各外壁パネル２が下階の取り付け金物３に固定される。その後、上階の外壁パネル２が吊り込まれて下階の外壁パネル２の直上位置に配置される。このときに上階の外壁パネル２間の隙間調整が行われる。
【０１１３】
上階の外壁パネル２間の隙間調整は、図１４に図示の流れに沿って進められる。図１４は、上階の外壁パネル２間の隙間を調整する手順を示す図である。同図に示すように、上階の外壁パネル２間の隙間調整では、上階の外壁パネル２を下階の外壁パネル２の直上位置に配置するにあたり（Ｓ０３３）、隙間調整具５０のセット及び操作を行う（Ｓ０３１、Ｓ０３２）。
【０１１４】
具体的に説明すると、上階の外壁パネル２間の隙間調整では、先ず、下階の外壁パネル２の間の隙間内に一対の板片５１の各々の板片前方部５１ａを差し込んで、隙間調整具５０をセットする（Ｓ０３１）。この際、図１５に示すように、各板片５１における板片前方部５１ａの下側部分が下階の外壁パネル２の間の隙間内に収容され、且つ、板片前方部５１ａの上側部分が下階の外壁パネル２の間の隙間よりも上方に突出するように隙間調整具５０を配置する。図１５は、隙間調整具５０をセットした状態を示す図であり、当該隙間調整具５０を下階の外壁パネル２の正面から見た図である。
なお、このとき、各板片５１における板片後方部５１ｂは、下階の外壁パネル２の間の隙間よりも手前（出入方向において屋外側）に位置している。
【０１１５】
隙間調整具５０のセット後、隙間調整具５０の操作部５３を操作して隙間調整具５０の長さ（厳密には、水平方向における長さ）を調整する（Ｓ０３２）。より詳しく説明すると、操作部５３である蝶ネジを回すことにより、板片前方部５１ａ同士の間の間隔を広げて隙間調整具５０の長さを長くする。そして、板片前方部５１ａ同士の間の間隔が下階の外壁パネル２の間の隙間と等しくなるまで操作部５３を操作する。これにより、各板片５１の板片前方部５１ａが、隙間を挟む下階の外壁パネル２の側端（隙間に面している側の端）に当接するようになる。換言すると、隙間調整具５０の長さ（厳密には、板片前方部５１ａ同士の間の間隔の長さ）が、下階の外壁パネル２の間の隙間と等しくなるように調整される。
【０１１６】
その後、上階の外壁パネル２を下階の外壁パネル２の直上位置に配置する。より厳密には、上階の外壁パネル２の間の隙間と下階の外壁パネル２の間の隙間とが上下に連続するように上階の各外壁パネル２を配置する（Ｓ０３３）。このとき、隙間調整具５０が有する一対の板片５１の板片前方部５１ａのうち、下階の外壁パネル２の間の隙間よりも上方に突出した部分（以下、突出部分）をガイドとして上階の外壁パネル２を配置する。より詳しく説明すると、図１６に示すように、水平方向において突出部分と隣接する位置に上階の外壁パネル２を配置する。図１６は、隙間調整具５０によって上階の外壁パネル２の間の隙間を調整する様子を示す図であり、当該隙間調整具５０を上階及び下階の各々の外壁パネル２の正面から見た図である。
【０１１７】
そして、上階の外壁パネル２が突出部分によってガイドされながら下階の外壁パネル２の直上位置に配置されることにより、上階の外壁パネル２の間には、下階の外壁パネル２の間の隙間と上下方向に連続した隙間（縦の隙間）が形成されるようになる。また、上階の外壁パネル２同士の間に形成される隙間の横幅は、下階の外壁パネル２同士の間に形成される隙間の横幅と揃うようになる。
【０１１８】
以上のように、本実施形態では、上階において複数の外壁パネル２を水平方向に並べて配置する際に、隙間調整具５０を用いて上階の外壁パネル２の間の隙間を調整することで、当該隙間が上下方向において下階の外壁パネル２の間の隙間と良好に連続するように上階の各外壁パネル２を配置することが可能である。
【０１１９】
＜＜その他の実施形態＞＞
以上までに本発明の構造物構築方法について具体例を挙げて説明してきたが、上記の実施形態は、あくまでも一例に過ぎず、他の実施形態も考えられる。例えば、上記の実施形態では、建物の角部分に在る取り付け金物３を出入方向において位置決めする際、上下に隣り合う二つの階の各々に配置された取り付け金物３に、長尺な調整治具３０の当接面３１を同時に当接させることとした。ただし、これに限定されるものではなく、上下に連続する三つ以上の階の各々に配置された取り付け金物３に調整治具３０の当接面３１を同時に当接させてもよい。
【０１２０】
また、上記の実施形態では、建物の角部分に在る取り付け金物３に対して、調整治具３０による出入方向の位置決めを行うこととした。ただし、これに限定されるものではなく、建物の角部以外に設けられる取り付け金物３に対して、調整治具３０に相当する治具による位置決めを行ってもよい。
【０１２１】
また、上記の実施形態では、Ｌ型のアングル材によって構成された調整治具３０を用いることとしたが、これに限定されるものではない。例えば、長尺な平板や棒体若しくは角材によって構成される調整治具３０を用いてもよい。
【０１２２】
また、上記の実施形態では、本発明の構造物構築方法の適用例として、複数の外壁パネル２によって構成される外壁１を有する建物を建設するケースについて説明したが、これに限定されるものではない。複数の階を有し、各階においてパネル体やブロック体（例えば、ＡＬＣ板、コイルブロック、フェンス、タイル及び仮囲い材）を固定部に固定することで建物を建設する場合にも、本発明の構造物構築方法は利用可能である。
【符号の説明】
【０１２３】
１  外壁
２  外壁パネル（被固定体）
２ａ  仕上材
２ｂ  パネル本体
２ｃ  フレーム
２ｄ  アルミ蒸着フィルム
２Ｍ  第一パネル（第一被固定体）
２Ｎ  第二パネル（第二被固定体）
３  取り付け金物（固定部）
３ａ  固定面
３ｕ，３ｔ  取り付け金物（固定部）
４  梁
５  柱
６  縦目地
７  横目地
８  水糸
１０  位置決め部材
１１  組み付け部
１１ａ  水平部分
１１ｂ  突出部分
１２  保持部
１３  位置調整部
１４  下側第一治具
１４ａ  立設部
１４ｂ  連結部
１５  第一当接部
１６  上側第一治具
１６ａ  立設部
１６ｂ  連結部
１７  下側第二治具
１７ａ  立設部
１７ｂ  連結部
１８  第二当接部
１９  上側第二治具
１９ａ  立設部
１９ｂ  連結部
２１  第一押圧部
２１ａ  第一ネジ体
２１ｂ  押圧キャップ
２２  第二押圧部
２２ａ  第二ネジ体
２２ｂ  押圧キャップ
２３  第三押圧部
２３ａ  第三ネジ体
２３ｂ  押圧キャップ
２４  第四押圧部
２４ａ  第四ネジ体
２４ｂ  押圧キャップ
３０  調整治具（治具）
３１  当接面
４０  風防下げ振り
５０  隙間調整具（調整部）
５１  板片
５１ａ  板片前方部
５１ｂ  板片後方部
５２  連結軸
５３  操作部
５４  ナット
Ｍ１  上方切れ目
Ｍ２  下方切れ目
【図１】
2019011618.tif 000003
【図２】
2019011618.tif 000004
【図３】
2019011618.tif 000005
【図４Ａ】
2019011618.tif 000006
【図４Ｂ】
2019011618.tif 000007
【図４Ｃ】
2019011618.tif 000008
【図５】
2019011618.tif 000009
【図６】
2019011618.tif 000010
【図７】
2019011618.tif 000011
【図８Ａ】
2019011618.tif 000012
【図８Ｂ】
2019011618.tif 000013
【図９】
2019011618.tif 000014
【図１０】
2019011618.tif 000015
【図１１】
2019011618.tif 000016
【図１２】
2019011618.tif 000017
【図１３】
2019011618.tif 000018
【図１４】
2019011618.tif 000019
【図１５】
2019011618.tif 000020
【図１６】
2019011618.tif 000021